(57)【特許請求の範囲】
【請求項１】
筐体形状の調理器本体と、
該調理器本体の内部に形成されて被調理物を加熱調理するために前面に開放する庫内と、
該庫内の開放端を開閉する扉と、
前記庫内の底面中央付近で回転するターンテーブルと、
前記庫内の前記底面よりも外側の前記調理器本体の内部に配置されて前記ターンテーブルを回転させるターンテーブル駆動部と、
前記開放端を閉成しているときに該開放端と対向する前記扉の裏面との相対位置が平行に変化するように前記調理器本体に対してスライド変位可能に前記扉を支持するスライドレールと、を備え、
前記調理器本体の奥側と、前記スライドレールの前記調理器本体の奥側に位置する端部とには、それぞれ、水平方向に付勢設定されたローラ体と、該ローラ体と係合するガイド溝を一体に備えたプレート部材が設けられ、
前記プレート部材は、前記扉のスライド方向に平行に延び、前記プレート部材の前記調理器本体奥側の端部は、前記扉が前記調理器本体の内部へとスライドしたときに、前記調理器本体の奥側に配置された前記ローラ体に当接して、前記ローラ体を付勢に抗して変位させるように傾斜し、
前記ガイド溝は、前記扉が前記開放端から離間している状態から所定位置にまで接近した際に前記ローラ体による弾性係合によって前記扉を閉成方向に引き込む引き込み溝が形成されていることを特徴とする調理器。
【発明の詳細な説明】
【技術分野】
【０００１】
本発明は、ガスや電磁波を利用して被調理物を加熱調理する調理器に関する。
【背景技術】
【０００２】
従来から、ガスレンジや電子レンジ或いはこれらを併用したコンビネーションレンジ等の調理器にあっては、被調理物を収納して加熱する加熱室といった庫内と外部とは、回動式の扉によって開閉されるのが周知である。
【０００３】
この際、扉は、庫内開放端（被調理物の出し入れ口）の下縁付近を回動支点とする上下回動タイプと、庫内開放端の側縁付近を回動支点とする左右回動タイプと（例えば、特許文献１参照）、が知られている。
【先行技術文献】
【特許文献】
【０００４】
【特許文献１】特開平０７−１８５７３４号公報
【発明の概要】
【発明が解決しようとする課題】
【０００５】
しかしながら、上述した調理器にあっては、扉を上下若しくは左右で回動させるため、加熱途中で庫内の被調理物の加熱状況を扉開放状態で確認する際、扉が邪魔となって視認性を損なうといった問題が生じていた。
【０００６】
そこで、本発明は、扉を前後方向にスライド変位させることができ、庫内の被調理物の視認性を向上することができる調理器を提供することを目的とする。
【課題を解決するための手段】
【０００７】
上記課題を解決するため、本発明の調理器は、筐体形状の調理器本体と、該調理器本体の内部に形成されて被調理物を加熱調理するために前面に開放する庫内と、該庫内の開放端を開閉する扉と、前記庫内の底面中央付近で回転するターンテーブルと、前記庫内の前記底面よりも外側の前記調理器本体の内部に配置されて前記ターンテーブルを回転させるターンテーブル駆動部と、前記開放端を閉成しているときに該開放端と対向する前記扉の裏面との相対位置が平行に変化するように前記調理器本体に対してスライド変位可能に前記扉を支持するスライドレールと、を備える。前記調理器本体の奥側と、前記スライドレールの前記調理器本体の奥側に位置する端部とには、それぞれ、水平方向に付勢設定されたローラ体と、該ローラ体と係合するガイド溝を一体に備えたプレート部材が設けられている。前記プレート部材は、前記扉のスライド方向に平行に延び、前記プレート部材の前記調理器本体奥側の端部は、前記扉が前記調理器本体の内部へとスライドしたときに、前記調理器本体の奥側に配置された前記ローラ体に当接して、前記ローラ体を付勢に抗して変位させるように傾斜し、前記ガイド溝は、前記扉が前記開放端から離間している状態から所定位置にまで接近した際に前記ローラ体による弾性係合によって前記扉を閉成方向に引き込む引き込み溝が形成されている。
【０００８】
扉を前後方向にスライド変位し得て、庫内の被調理物の視認性を向上することができるばかりでなく、扉を開放状態から閉成状態とする際の閉成状態を容易に確保することができる。
【発明の効果】
【０００９】
本発明の調理器は、扉を前後方向にスライド変位させることができ、庫内の被調理物の視認性を向上することができる。
【図面の簡単な説明】
【００１０】
【図１】本発明の一実施形態に係る調理器を示し、扉開放２段バット載置状態の調理器の斜視図である。
【図２】本発明の一実施形態に係る調理器を示し、扉開放ターンテーブル載置状態の調理器の斜視図である。
【図３】本発明の一実施形態に係る調理器を示し、扉開放バット載置状態の調理器の側面図である。
【図４】本発明の一実施形態に係る調理器を示し、扉開放バット載置状態の調理器の説明図である。
【図５】本発明の一実施形態に係る調理器を示し、扉開放上段バット途中停止状態の調理器の側面図である。
【図６】本発明の一実施形態に係る調理器の正面図である。
【図７】本発明の一実施形態に係る調理器を示し、調理器の底面方向の斜視図である。
【図８】本発明の一実施形態に係る調理器を示し、（Ａ）は扉引き込み前の要部の斜視図、（Ｂ）は扉引き込み開始直前の要部の斜視図、（Ｃ）は扉引き込み開始直後の要部の斜視図、（Ｄ）は扉引き込み状態の要部の斜視図である。
【図９】本発明の一実施形態に係る調理器を示し、ターンテーブルとターンテーブル駆動部との係合状態の要部の断面図である。
【図１０】本発明の一実施形態に係る調理器を示し、ターンテーブルとターンテーブル駆動部とが離間状態の要部の断面図である。
【図１１】本発明の一実施形態に係る調理器を示し、スライドロック状態の要部の正面図である。
【図１２】本発明の一実施形態に係る調理器を示し、スライドロック状態の要部の説明図である。
【図１３】本発明の一実施形態に係る調理器を示し、スライドロック状態の要部の拡大図である。
【図１４】本発明の一実施形態に係る調理器を示し、スライドアンロック状態の要部の正面図である。
【図１５】本発明の一実施形態に係る調理器を示し、スライドアンロック状態の要部の説明図である。
【図１６】本発明の一実施形態に係る調理器を示し、スライドアンロック状態の要部の拡大図である。
【図１７】本発明の一実施形態に係る調理器を示し、扉にテーブル保持フレームを装着した状態の説明図である。
【図１８】本発明の一実施形態に係る調理器を示し、扉にターンテーブルを保持した状態の説明図である。
【図１９】本発明の一実施形態に係る調理器を示し、扉にターンテーブルを保持した状態の扉底面側の説明図である。
【図２０】本発明の一実施形態に係る調理器を示し、扉に下段バットを保持した状態の説明図である。
【図２１】本発明の一実施形態に係る調理器を示し、扉にバット保持フレームを装着した状態の説明図である。
【図２２】本発明の一実施形態に係る調理器を示し、扉に上下２段のバットを保持した状態の説明図である。
【図２３】本発明の一実施形態に係る調理器を示し、扉に上下２段のバットを保持した状態の扉底面側の説明図である。
【図２４】本発明の一実施形態に係る調理器を示し、上段バットにトングを係合させた状態の説明図である。
【図２５】本発明の一実施形態に係る調理器を示し、上段バットをトングで浮かせた状態の説明図である。
【発明を実施するための形態】
【００１１】
次に、本発明の一実施形態に係る調理器について、図面を参照して説明する。尚、以下に示す実施例は本発明の調理器における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。したがって、以下に示す実施形態の記載をもって、特許請求の範囲に記載された発明の内容を限定するものではない。
【００１２】
図１は本発明の一実施形態に係る調理器を示し、扉開放２段バット載置状態の調理器の斜視図、図２は本発明の一実施形態に係る調理器を示し、扉開放ターンテーブル載置状態の調理器の斜視図、図３は本発明の一実施形態に係る調理器を示し、扉開放バット載置状態の調理器の側面図、図４は本発明の一実施形態に係る調理器を示し、扉開放バット載置状態の調理器の説明図、図５は本発明の一実施形態に係る調理器を示し、扉開放上段バット途中停止状態の調理器の側面図、図６は本発明の一実施形態に係る調理器の正面図、図７は本発明の一実施形態に係る調理器を示し、調理器の底面方向の斜視図、図８は本発明の一実施形態に係る調理器を示し、図８（Ａ）は扉引き込み前の要部の斜視図、図８（Ｂ）は扉引き込み開始直前の要部の斜視図、図８（Ｃ）は扉引き込み開始直後の要部の斜視図、図８（Ｄ）は扉引き込み状態の要部の斜視図、図９は本発明の一実施形態に係る調理器を示し、ターンテーブルとターンテーブル駆動部との係合状態の要部の断面図、図１０は本発明の一実施形態に係る調理器を示し、ターンテーブルとターンテーブル駆動部とが離間状態の要部の断面図、図１１は本発明の一実施形態に係る調理器を示し、スライドロック状態の要部の正面図、図１２は本発明の一実施形態に係る調理器を示し、スライドロック状態の要部の説明図、図１３は本発明の一実施形態に係る調理器を示し、スライドロック状態の要部の拡大図、図１４は本発明の一実施形態に係る調理器を示し、スライドアンロック状態の要部の正面図、図１５は本発明の一実施形態に係る調理器を示し、スライドアンロック状態の要部の説明図、図１６は本発明の一実施形態に係る調理器を示し、スライドアンロック状態の要部の拡大図、図１７は本発明の一実施形態に係る調理器を示し、扉にテーブル保持フレームを装着した状態の説明図、図１８は本発明の一実施形態に係る調理器を示し、扉にターンテーブルを保持した状態の説明図、図１９は本発明の一実施形態に係る調理器を示し、扉にターンテーブルを保持した状態の扉底面側の説明図、図２０は本発明の一実施形態に係る調理器を示し、扉に下段バットを保持した状態の説明図、図２１は本発明の一実施形態に係る調理器を示し、扉にバット保持フレームを装着した状態の説明図、図２２は本発明の一実施形態に係る調理器を示し、扉に上下２段のバットを保持した状態の説明図、図２３は本発明の一実施形態に係る調理器を示し、扉に上下２段のバットを保持した状態の扉底面側の説明図、図２４は本発明の一実施形態に係る調理器を示し、上段バットにトングを係合させた状態の説明図、図２５は本発明の一実施形態に係る調理器を示し、上段バットをトングで浮かせた状態の説明図である。
【００１３】
図１乃至図５において、本発明の調理器１１は、被調理物をバーナの燃焼熱気によって加熱調理するオーブン調理と、被調理物をマグネトロンから照射されたマイクロ波によって加熱調理する電子レンジ調理と、を可能とした所謂コンビネーションレンジである。なお、図中、１２は排気穴、１３は燃焼ガスの供給管（図３，図５では接続部分のみ開示）である。
【００１４】
また、バーナ本体（図示せず）を備えた調理器本体１４は、外壁１５と、前面に配置された操作部１６と、庫内１７を構成する内壁１８と、庫内１７の前面開口（開放端）１７ａを開閉する扉１９と、を備えている。
【００１５】
扉１９は、前面に開閉操作用の取手２０が設けられている。この取手２０の中央裏面付近には、扉１９の閉成状態から開放状態とする際の解除スイッチ２１が設けられている。また、扉１９の裏面には、図６に示すように、庫内１７の前面開口１７ａの外側で内壁１８の前面縁部１８ａと当接するパッキン２２が設けられている。さらに、本実施の形態における扉１９は、その裏面側の下方寄り両側縁部付近と中央寄り下縁部付近の２箇所の計４箇所でガイドレール２３，２４によって支持されている。
【００１６】
扉１９の裏面側下方寄り両側縁部に配置された一対のサイドスライドレール２３は、三段の伸縮可能な外中内レール２６Ａ，２６Ｂ，２６Ｃを備えている（図１１，図１４に詳細図示）。最も外側（調理器本体１４の内側）に位置して断面の大きい略コ字形状の外レール２６Ａは、一端から中レール２６Ｂと内レール２６Ｃとが出没可能となるように他端側が前面縁部１８ａから抜け止め状態で内壁１８の外面又は外壁１５の内面にスライド変位可能に支持されている。また、中レール２６Ｂは外レール２６Ａとの間にボール２７が介在され、このボール２７によって外レール２６Ａの一端から出没可能となるように長手方向にスライド変位可能とされている。同様に、内レール２６Ｃは、中レール２６Ｂとの間にボール２７が介在され、このボール２７によって中レール２６Ｂの一端から出没可能となるように長手方向にスライド変位可能とされている。さらに、外レール２６Ａは中レール２６Ｂを、中レール２６Ｂは内レール２６Ｃを、それぞれ抜け止め状態で支持している。また、内レール２６Ｃは、ブラケット２５を介して一端側（先端側）で扉１９の裏面を支持している。
【００１７】
扉１９の裏面側下方寄り下縁部に配置された一対のアンダースライドレール２４は、三段の伸縮可能な外中内レール２９Ａ，２９Ｂ，２９Ｃを備えている（図１１，図１３，図１４，図１６に詳細図示）。最も外側（調理器本体１４の内側）に位置して断面の大きい略コ字形状の外レール２９Ａは、一端から中レール２９Ｂと内レール２９Ｃとが出没可能となるように他端側が前面縁部１８ａから抜け止め状態で内壁１８の外面又は外壁１５の内面にスライド変位可能に支持されている。また、中レール２９Ｂは外レール２９Ａとの間にボール３０が介在され、このボール３０によって外レール２９Ａの一端から出没可能となるように長手方向にスライド変位可能とされている。同様に、内レール２９Ｃは、中レール２９Ｂとの間にボール３０が介在され、このボール３０によって中レール２９Ｂの一端から出没可能となるように長手方向にスライド変位可能とされている。さらに、外レール２９Ａは中レール２９Ｂを、中レール２９Ｂは内レール２９Ｃを、それぞれ抜け止め状態で支持している。また、内レール２９Ｃは、ブラケット２８を介して一端側（先端側）で扉１９の裏面を支持している。
【００１８】
一方、内レール２９Ｃの他端側には平板状の引込プレート（プレート部材）３１が固定されている。この引込プレート３１は、図７に示すように、内レール２９Ｃの他端側に略水平状態で固定されて、内レール２９Ｃのスライド変位に連動して変位する。また、引込プレート３１の一端（先端）は扉１９が閉成状態にあるときの扉１９の開放を阻止する際に利用される（詳細は後述）。さらに、引込プレート３１の他端（後端）は、中途部から端部に向かう程に先細りとなるように内側端縁が傾斜され、その中途部の内側端縁には外向きに拡開する略凹形状のガイド溝３１ａが形成されている。
【００１９】
また、調理器本体１４の奥側には、両端にバネ付勢された引込ローラ（ローラ体）３２を保持したローラ保持プレート３３が配置されている。これにより、扉１９を開放状態からスライド変位させて閉成しようと押入れ操作すると、図８（Ａ），（Ｂ）に示すように、その閉成完了直前で引込ローラ３２が引込プレート３１の他端側の内側端縁に弾性接触し、図８（Ｃ）に示すように、更なる扉１９の押入れ操作によってガイド溝３１ａに引込ローラ３２が位置したときに、そのガイド作用と弾性力とによって、図８（Ｄ）に示すように、引込ローラ３２がガイド溝３１ａの底縁（引き込み溝）にまで引き込まれ、扉１９の全体を引き込むことができる。なお、図７において、符号３４はアンダースライドレール２４の下面を支持する支持プレートである。
【００２０】
一方、内壁１８の底面（底板）の略中央には、下方に向けて凹陥された凹陥部１８ｂが形成されており、この凹陥部１８ｂには回転かつ昇降可能な円盤状の駆動テーブル３５が配置されており、凹陥部１８ｂの下方空間には駆動テーブル３５を回転及び昇降させるターンテーブル駆動部４０が配置されている。
【００２１】
ターンテーブル駆動部４０は、駆動テーブル３５を回転させる回転装置部と、駆動テーブル３５を昇降させる昇降装置部と、を備えている。尚、回転装置部に関しては、駆動テーブル３５が上昇している状態のときに所定方向等に駆動テーブル３５を回転させるものであり、その動力伝達方式や回転制御方式等は公知の技術を適用することができる。したがって、以下の説明では、昇降装置部をターンテーブル駆動部４０として説明する。
【００２２】
ターンテーブル駆動部４０は、図９乃至図１６に示すように、駆動モータ４１と、駆動モータ４１の回転駆動をベルト４２を介して伝達される昇降カム４３と、昇降カム４３の回転位置に応じて回動する昇降アーム４４と、昇降カム４３と同軸上に設けられて偏心位置（位相）がずれた上昇偏心カム４５及び下降偏心カム４６と、上昇偏心カム４５及び下降偏心カム４６の回転位置によってＯＮ／ＯＦＦされる上昇検出スイッチ４７及び下降検出スイッチ４８と、昇降アーム４４の先端と係合して回転軸４９と一体に駆動テーブル３５を昇降させる昇降部５０と、昇降部５０に設けられてその上昇時に引込プレート３１の一端（先端）と係合するロック爪５１と、ターンテーブル７０を回転させるターンテーブル回転駆動モータ５２と、を備えている。
【００２３】
このような構成においては、扉１９が前面開口１７ａを閉成すると、図示を略する扉検出スイッチが作動して駆動モータ４１を駆動させ、駆動テーブル３５を上昇させると同時にロック爪５１を上昇させる。
【００２４】
駆動テーブル３５が上昇すると、ターンテーブル７０の丸バット本体７１の底面に設けられたクラッチ部７２に駆動テーブル３５が係合し、駆動テーブル３５の回転をターンテーブル７０に伝達することができる。
【００２５】
また、ロック爪５１が上昇すると、引込プレート３１の一端（先端）と係合し、引込プレート３１の扉開放方向のスライド変位が阻止される。
【００２６】
また、駆動モータ４１が駆動すると、上昇偏心カム４５と下降偏心カム４６の回転位置によって上昇検出スイッチ４７と下降検出スイッチ４８とが逆転状態でＯＮ／ＯＦＦする。扉１９が前面開口１７ａを閉成すると、駆動テーブル３５とターンテーブル７０との係合状態及びロック爪５１と引込プレート３１との係合状態を検出することで操作部１６の操作による調理開始指令に対して調理を開始（例えば、バーナやマグネトロンの作動）させる。
【００２７】
また、解除スイッチ２１をＯＮすると、調理状態の停止（例えば、バーナやマグネトロンの作動停止）すると共に、駆動モータ４１が駆動してターンテーブル７０から駆動テーブル３５が退避（下降）すると同時に、引込プレート３１からロック爪５１が退避（下降）し、扉１９の引き出し方向のスライド変位を許容して前面開口１７ａが開放される。
【００２８】
ところで、本実施の形態では、図１７乃至図２５に示すように、ターンテーブル７０は、テーブル保持フレーム６０によって保持され、扉１９のスライド変位に連動するように構成されている。これにより、ターンテーブル７０に対する調理物の載置や取り出し、調理途中での調理具合の確認等を庫内１７を覗き込むことなく行なうことができる。
【００２９】
このテーブル保持フレーム６０は、その一端が扉１９の裏面下方に設けられた下フック３６と係合して保持され、その他端には庫内１７の底面（内壁１８の底面）上を転動（走行）す円柱状ローラ６１が設けられている。また、テーブル保持フレーム６０は、ターンテーブル７０の丸バット本体７１の底面を浮遊状態で支持（保持）する支持突起６２と、ターンテーブル７０よりも高い位置で角バット９０の角バット本体９１を支持する支持フレーム部６３と、を備えている。
【００３０】
これにより、テーブル保持フレーム６０はターンテーブル７０又は角バット９０の両方を同時に保持することができる。なお、実際の調理時には何れか一方を支持するのが一般的である。
【００３１】
また、この角バット９０は、同一のものを上下２段積みすることが可能となっている。この際、下段の角バット９０には、一端が扉１９の裏面中途部に設けられた上フック３７と係合するバット保持フレーム８０の他端の脚部８１を支持する。
【００３２】
バット保持フレーム８０は、上段の角バット９０の裏面側周縁を支持すると共に後端側を開放しており、例えば、図４に示す状態（実際には被調理物を載置）で扉１９を閉成して調理を行ない、図５に示すように、その途中又は調理終了後に扉１９をスライド変位させると、下段側の角バット９０は扉１９の開放位置と同位置にまで引き出し、上段側の角バット９０は途中までの引き出しとすることができる。
【００３３】
これにより、被調理物の調理具合の確認や取り出しを行なう際に、上段の角バット９０が作業の邪魔となり難くすることができる。
【００３４】
なお、扉１９を閉成した際には、上下各段の角バット９０は、庫内１７の内壁１８の両側面に形成されたバットガイド１８ｃ，１８ｄによって支持させることができる。これにより、各保持フレーム６０，８０を用いずに、庫内１７に角バット９０を支持させることも可能であると共に、扉１９の開閉に連動して押し入れ・引き出しを可能とすることができる。この際、上述した上段に関しては、例えば、バットガイド１８ｄと角バット９０との高さ方向の位置をバット保持フレーム８０の高さによって調整することで、摩擦抵抗等によって途中までの引き出しを可能とする。また、バット保持フレーム８０の後端を開放しているため、バット保持フレーム８０と角バット本体９１との間で雌雄の異なる係合部を設けたり、バットガイド１８ｄの先端側を上向き（数ミリ）として摩擦抵抗を高くするなど、その方法は適宜とすることができる。さらに、バット保持フレーム８０の後端の開放を切り替え可能とし、必要に応じて全部引き出しと途中引き出しとを切り替え可能とすることも可能である。
【００３５】
このように、本発明によれば、複数のバット（７０，９０）を組み合わせて設置することができ、バリエーションに富んだ調理に貢献することができる。また、図２４，図２５に示すように、所謂トング３８を用いた各バット７０，９０の出し入れも可能である。
【００３６】
このように、本発明の調理器にあっては、庫内１７の側面よりも外側の扉１９の両側縁に一端が保持されかつ他端が調理器本体１４の内部に支持された一対のサイドスライドレール２３と、庫内１７の底面よりも外側の扉１９の下縁に一端が保持されかつ他端が調理器本体１４の内部に支持されたアンダースライドレール２４と、を備え、サイドスライドレール２３とアンダースライドレール２４とで扉１９をスライド変位することで前面開口１７ａを開閉することにより、庫内１７の調理物の調理状態を容易に確認することができる。
【００３７】
この際、サイドスライドレール２３とアンダースライドレール２４とは、前面開口１７ａよりも外側を取り巻き状態でシールするように扉１９の裏面に設けられたパッキン２２よりも外方に配置されているため、庫内１７から電磁波の漏れを抑制することができる。
【００３８】
また、アンダースライドレール２４は、ターンテーブル駆動部４０を避けるように均等間隔で挟む位置に設けられているため、扉１９からの荷重を均等に分散することができ、しかも扉１９の開閉を容易に行なうことができる。
【００３９】
また、ターンテーブル駆動部４０は、扉１９が前面開口１７ａを開放している際にはターンテーブル７０から退避して非回転状態にあり、扉１９が前面開口１７ａを閉成している際にはターンテーブル７０と係合して回転状態にあるため、扉１９が前面開口１７ａを開放している際にはターンテーブル駆動部４０がターンテーブル７０から退避して非回転状態にあることから、ターンテーブル７０の引き出し等を許容することができる。
【００４０】
この際、ターンテーブル駆動部４０は、扉１９が閉成している際には扉１９の開放をロックしているため、扉１９を閉成してターンテーブル駆動部４０がターンテーブル７０を駆動させる状態にあるときに、不測に扉１９を開放させることを抑制することができる。
【００４１】
さらに、扉１９は、前面開口１７ａを閉成しているときにターンテーブル７０からターンテーブル駆動部４０を退避させると同時に扉１９の開放ロック状態を解除する解除スイッチ２１を備えていることにより、扉１９を開放させる際には、ロックを解除させない限り不測に開放してしまうことを抑制することができる。
【００４２】
また、扉１９は前面開口１７ａを閉成しているときに前面開口１７ａと対向する裏面との相対位置が平行に変化するように調理器本体１４に対してスライド変位可能に支持され、ターンテーブル７０は扉１９の開閉に伴うスライド変位に連動して変位するように扉１９に支持されているため、扉１９をスライドさせて前面開口１７ａを開閉させる際にターンテーブル７０とターンテーブル駆動部４０との係合状態を連動させることができ、ターンテーブル７０とターンテーブル駆動部４０とが係合状態となったまま扉１９をスライドさせることを抑制することができる。
【００４３】
また、そのスライドロックをターンテーブル駆動部４０の昇降に連動させてアンダースライドレール２４のスライドを機械的にロック爪５１でロックさせることにより、安価かつ簡素な構成で不測に扉１９がスライド変位してしまうことを抑制することができる。
【符号の説明】
【００４４】
１１…調理器
１２…排気穴
１３…ホース
１４…調理器本体
１５…外壁
１６…操作部
１７…庫内
１７ａ…前面開口（開放端）
１８…内壁
１８ａ…前面縁部
１８ｂ…凹陥部
１８ｃ…バットガイド
１８ｄ…バットガイド
１９…扉
２０…ノブ
２１…解除スイッチ
２２…パッキン
２３…サイドスライドレール
２４…アンダースライドレール
２５…ブラケット
２６Ａ…外レール
２６Ｂ…中レール
２６Ｃ…内レール
２７…ボール
２８…ブラケット
２９Ａ…外レール
２９Ｂ…中レール
２９Ｃ…内レール
３０…ボール
３１…引込プレート（プレート部材）
３１ａ…ガイド溝
３２…引込ローラ（ローラ体）
３３…ローラ保持プレート
３４…支持プレート
３５…駆動テーブル
３６…下フック
３７…上フック
３８…トング
４０…ターンテーブル駆動部
４１…駆動モータ
４２…ベルト
４３…昇降カム
４４…昇降アーム
４５…上昇偏心カム
４６…下降偏心カム
４７…上昇検出スイッチ
４８…下降検出スイッチ
４９…回転軸
５０…昇降部
５１…ロック爪
５２…ターンテーブル回転駆動モータ
６０…テーブル保持フレーム
６１…円柱状ローラ
６２…支持突起
６３…支持フレーム
７０…ターンテーブル
７１…丸バット
７２…クラッチ部
８０…バット保持フレーム
８１…脚部
９０…角バット
９１…角バット本体
９２…網皿
【図１】
0005830358.tif 000002
【図２】
0005830358.tif 000003
【図３】
0005830358.tif 000004
【図４】
0005830358.tif 000005
【図５】
0005830358.tif 000006
【図６】
0005830358.tif 000007
【図７】
0005830358.tif 000008
【図８】
0005830358.tif 000009
【図９】
0005830358.tif 000010
【図１０】
0005830358.tif 000011
【図１１】
0005830358.tif 000012
【図１２】
0005830358.tif 000013
【図１３】
0005830358.tif 000014
【図１４】
0005830358.tif 000015
【図１５】
0005830358.tif 000016
【図１６】
0005830358.tif 000017
【図１７】
0005830358.tif 000018
【図１８】
0005830358.tif 000019
【図１９】
0005830358.tif 000020
【図２０】
0005830358.tif 000021
【図２１】
0005830358.tif 000022
【図２２】
0005830358.tif 000023
【図２３】
0005830358.tif 000024
【図２４】
0005830358.tif 000025
【図２５】
0005830358.tif 000026